(57)【要約】  皮膚又は組織を処置するための用品が開示され、用品は、布様の外観及び感触を有する３層基層を含む。基層は、２つの繊維層の間に挟まれてそれに取り付けられたフィルムのような水不透過性層を含む。皮膚に接触するのに適合された繊維層は、使用者の皮膚又は組織に移行するように適合された配合物又は組成物を含む。更に、皮膚に接触するように適合された繊維層は、配合物又は組成物の漏れを阻害する波形状を含む。【選択図】図１
2009508011.tif 000002
【特許請求の範囲】
【請求項１】
用品の内部表面から用品の着用者の皮膚に組成物を移行させるように適合された用品であって、前記用品が、
周囲を有し、第１の内側繊維層と第１の外側繊維層との間に挟まれてそれに取り付けられた第１の水不透過性層を含む第１の基層と、
周囲を有し、第２の内側繊維層と第２の外側繊維層との間に挟まれてそれに取り付けられた第２の水不透過性層を含む第２の基層と、
を含み、
前記第１の基層及び前記第２の基層が、前記用品の着用者が身体の一部を挿入することができる内部容積を定めるように互いに取り付けられており、
前記第１の内側繊維層、前記第２の内側繊維層、又は両方の少なくとも一部に組成物が付着され、前記組成物の少なくとも一部が、使用中に前記両内側繊維層の一方又は両方から前記用品の着用者の皮膚に移行するようにされた、
ことを特徴とする用品。
【請求項２】
前記第１の基層の周囲、前記第２の基層の周囲、又は前記第１及び第２の基層の周囲が、ヒトの手の形状を定めることを特徴とする請求項１に記載の用品。
【請求項３】
前記組成物が、前記用品の使用者の皮膚を加湿するものであることを特徴とする請求項１に記載の用品。
【請求項４】
前記組成物が、水及び湿潤剤を含むことを特徴とする請求項３に記載の用品。
【請求項５】
前記第１の内側繊維層及び前記第２の内側繊維層が、不織布であることを特徴とする請求項１に記載の用品。
【請求項６】
前記第１の内側繊維層、前記第１の外側繊維層、又は両方が、区分された位置で前記第１の水不透過性層に取り付けられていることを特徴とする請求項１に記載の用品。
【請求項７】
前記第２の内側繊維層、前記第２の外側繊維層、又は両方が、区分された位置で前記第２の水不透過性層に取り付けられていることを特徴とする請求項６に記載の用品。
【請求項８】
前記第１の内側繊維層、前記第２の内側繊維層、前記第１の外側繊維層、前記第２の外側繊維層、又はそれらの幾つかの組み合わせに、ギャザー寄せをされていることを特徴とする請求項７に記載の用品。
【請求項９】
請求項１の用品の複数個が、各々水不透過性包みに収納されており、
前記用品を収納する前記包みの複数個のための容器が設けられた、
ことを特徴とする包装。
【請求項１０】
用品の内部表面から前記用品の着用者の皮膚に組成物を移行させるように適合された用品であって、前記用品が、
周囲を有し、内側繊維層と外側繊維層との間に挟まれてそれに取り付けられた水不透過性層を含む基層を有し、
前記基層は、前記用品の着用者が身体の一部を挿入することができる内部容積を定めるようにそれ自身に取り付けられており、
前記内側繊維層の少なくとも一部に組成物が付着され、前記組成物の少なくとも一部が、使用中に前記内側繊維層から前記用品の着用者の皮膚に移行するようにされた、
ことを特徴とする用品。
【請求項１１】
前記用品が、前記用品の使用者の足を受けるものであることを特徴とする請求項１０に記載の用品。
【請求項１２】
前記組成物が、前記用品の使用者の皮膚を加湿するものであることを特徴とする請求項１０に記載の用品。
【請求項１３】
前記組成物が、水及び湿潤剤を含むことを特徴とする請求項１２に記載の用品。
【請求項１４】
前記内側繊維層が不織布であることを特徴とする請求項１０に記載の用品。
【請求項１５】
前記内側繊維層、前記外側繊維層、又は両方が、区分された位置で前記水不透過性層に取り付けられていることを特徴とする請求項１０に記載の用品。
【請求項１６】
前記内側繊維層、前記外側繊維層、又は両方にギャザー寄せがされていることを特徴とする請求項１５に記載の用品。
【請求項１７】
請求項１０の用品の複数個が、各々水不透過性包みに収納されており、
前記用品を収納する前記包みの複数個ための容器が設けられた、
ことを特徴とする包装。
【請求項１８】
消費者に伝達するように適合されたメッセージであって、前記メッセージが、請求項１又は請求項９に記載の用品に関する情報に全体的に又は部分的に基づき、前記メッセージが、文書、記号、図形、画像、及び／又は色に包含され、前記メッセージが、消費者に発信することができる媒体で具体化されることを特徴とするメッセージ。
【発明の詳細な説明】
【技術分野】
【０００１】
ヒトは、健康及び／又は衛生的な利益を得るために種々の種類の配合物又は組成物に依存している。
【０００２】
一般に、皮膚を加湿及び／又は水和するときには、２つのカテゴリの配合物が用いられる。湿潤剤は、環境（主に空気中の水蒸気）から皮膚に水分を移すために用いられる。湿潤剤の例の一つは、グリセリンである。このような材料は、親水性（即ち水を好む）の傾向があり、一般に、非脂肪性で重量が軽く、及び／又は粘性であり、塗布するのが容易である。閉塞性材料は、皮膚に既に存在する水分を閉じ込めるのに用いられる。これらの材料は、皮膚を覆って水障壁を生成する傾向があり、これによって、水が皮膚から外部環境に移されるのを阻止する。閉塞性材料の例の１つは、ワセリンである。このような材料は、重くて長期間有効であり、油状及び／又は脂肪性の原料を含むことが多い傾向がある。
【０００３】
このような配合物は、指を用いて直接皮膚に塗布されることが多い。配合物が原料として水を含む場合には、水は、蒸発することがあり、配合物の有効性を減少させる可能性がある。更に、配合物を身体に塗布した後、手に残るあらゆる過剰な配合物は除去する必要がある。
【０００４】
場合によっては、配合物と併せて手袋又は靴下が用いられてきた。使用者は、手又は足の何れかに配合物を塗布し、その後、処置した手を覆うように手袋を、処置した足を覆うように靴下を身につけるか用いる。或いは、使用者は、スキンケア配合物で前処置した手袋又は靴下を付ける。不都合なことには、このような品目は、典型的には、布様外観及び感触に欠けるポリマー材料（例えば、ネオプレンゴム）で作られている。このような品目は、多くの場合、足又は手の複雑な表面及び外形に容易には一致しない。更に、このような品目には、部分的に配合物の漏れを防ぐための波状表面（即ち、しわの多い材料）を、手袋又は靴下の内面に組み込んでいないものもある。
【０００５】
必要とされるのは、配合物又は組成物が皮膚又は組織に移されるのを容易にすることにより健康及び／又は衛生を促進する用品であって、布様の外観及び感触を有し、用品を当てる身体の一部の外形及び表面に容易に一致し、用品の表面上にコーティングされ、又は付着された配合物又は組成物の漏れを減少させる用品である。
【０００６】
【特許文献１】米国特許第３，８４９，２４１号公報
【特許文献２】米国特許第５，２１３，８８１号公報
【特許文献３】米国特許第４，３４０，５６３号公報
【特許文献４】米国特許第３，６９２，６１８号公報
【特許文献５】米国特許第３，８０２，８１７号公報
【特許文献６】米国特許第３，３３８，９９２号公報
【特許文献７】米国特許第３，３４１，３９４号公報
【特許文献８】米国特許第３，５０２，５３８号公報
【特許文献９】米国特許第３，５４２，６１５号公報
【特許文献１０】米国特許第６，０３７，２８１公報
【特許文献１１】米国特許第６，０３７，２８１号公報
【特許文献１２】米国特許第４，６６３，２２０号公報
【特許文献１３】米国特許第５，２２６，９９２号公報
【特許文献１４】欧州特許出願番号第ＥＰ０２１７０３２号公報
【特許文献１５】ＰＣＴ出願第ＷＯ０１／８８２４５号公報
【特許文献１６】米国特許第６，６１２，８４６公報
【特許文献１７】米国特許第６，８９６，５２１号公報
【特許文献１８】米国特許出願番号第１０／８３１４７６号公報
【特許文献１９】米国特許出願番号第１０／９５６７６３号公報
【発明の開示】
【０００７】
本発明者らは、３層基層（即ち、不織材料のような２つの繊維基層の間に挟まれてそれに取り付けられたフィルムのような水不透過性層）を含み、使用者の皮膚又は組織に移行させるために組成物又は配合物が付着された袖、靴下、又は手袋のような用品が、使用者の皮膚又は組織を効果的且つ快適に処置することを確認した。好ましくは、組成物又は配合物は、水性であって湿潤剤を含み、事実上、用品に、湿潤剤（皮膚内に運搬するための水分子を供給する）及び閉塞性材料（基層の水不透過性層により、水分子が皮膚又は配合物から移動されるのが減少又は阻止される）の両方の利点を与える。しかし、閉塞性の材料を用いることもでき、配合物に多数の他の原料を含むこともでき、この例は、以下の説明の項において提示する。外側繊維基層は、布様外観及び感触を有し、内側繊維基層がしわの多い性質であるため、組成物又は配合物の漏れを減少させるのに役立つ。内側繊維層、外側繊維層、又はその両方のしわは、水不透過性層を伸張した状態で繊維の層（又は各層）を水不透過性層に熱的に点結合することにより、付与することができ、或いは増大させることができる。得られる積層体を収縮させると、繊維層の一方又は両方に波形が形成されるか及び／又はさらにはっきりする。層は、熱点結合以外の方法（例えば接着剤結合）を用いて区分された位置で結合することもできる。例の項では、このような用品を用いる利益の特徴を示すのに役立つ実験の結果と共に、このような用品の種々の代表的な実施形態を詳細に説明する。
本発明のこれら及び他の変形形態を、以下に更に完全に記載する。
【発明を実施するための最良の形態】
【０００８】
（定義）
本明細書においては、以下の各用語又は語句は、以下の意味又は各意味を含む。
「取り付ける」及びその派生語は、２つの要素を接合すること、接着剤接着すること、結合すること、接着すること、互いを縫い合わせること、付着させること、組み合わせること、又は同様のことを意味する。２つの要素が、互いに一体であるか、互いに直接取り付けられているか、又は各々が中間要素に直接取り付けられている時などのように、互いが間接的に取り付けられている場合には、互いに取り付けられているとみなされる。「取り付ける」及びその派生語は、永久的な取り付け、取り外し可能な取り付け、又は再締結可能な取り付けを含む。更に、取り付けは、製造工程の間に、或いは最終使用者の何れかによって完成させることができる。
【０００９】
「接着する」及びその派生語は、２つの要素を接合すること、接着剤接着すること、結合すること、取り付けること、縫い合わせること、又は同様のものを意味する。２つの要素が、互いに直接接着されているか、又は各々が中間要素に直接接着されている時などのように、互いが間接的に接着されている時に、互いに接着されているとみなされる。「接着する」及びその派生語は、永久的な接着、取り外し可能な接着、又は再締結可能な接着を含む。
【００１０】
「コフォーム」は、メルトブローン繊維とセルロース系繊維などの吸収性繊維との混合物を意味するもので、これは、メルトブローンポリマー材料を空気中形成し、同時にメルトブローン繊維流に空気浮遊繊維を吹き込むことにより形成することができる。コフォーム材料は、超吸収性材料などの他の材料を含むこともできる。メルトブローン繊維及び吸収性繊維は、孔あきベルトにより形成されるもののような形成表面上に収集される。形成表面は、形成表面上におかれた気体透過性材料を含むことができる。
【００１１】
「組成物」、「配合物」又はその派生語は、本発明の用品の内側繊維層の内側表面に塗布又は付着される材料においては、主に、材料が用品の内側繊維層の内側表面から移行する皮膚又は組織の健康及び／又は衛生を改善するのを助けることにより用品の使用者の健康及び／又は衛生を改善するのに役立つ種々の材料を意味する。
【００１２】
「結合する」及びその派生語は、２つの要素を接合すること、接着剤接着すること、接着すること、取り付けること、縫い合わせること、又は同様のものを意味する。２つの要素が、互いに直接結合されているか、又は各々が中間要素に直接結合されている時などのように、互いが間接的に結合されている場合には、互いに結合されているとみなされる。「結合する」及びその派生語は、永久的結合、取り外し可能な結合、又は再締結可能な結合を含む。更に、結合は、製造工程の間に、或いは、最終使用者によるかの何れかによって完成することができる。
【００１３】
「使い棄て」は、限られた使用の後に、洗濯その他により再使用のために回復されることがなく、廃棄されるように意図された物品を意味する。
【００１４】
「に位置する」、「に沿って位置する」、「と位置する」、又は「向かって位置する」及びこれらの変形の用語は、１つの要素を別の要素と一体にすることができるか、又は１つの要素が他の要素と別構造であって、他の要素に接着されるか、他の要素とともに配置されるか又は他の要素の近くに置かれることを意味する。
【００１５】
「繊維」は、直径又は幅に対して長さの比率が高い連続又は非連続の部材を意味する。従って、繊維は、フィラメント、糸、ストランド、ヤーン、又はあらゆる他の部材又はこれらの部材の組み合わせとすることができる。
【００１６】
「親水性」は、水性液体が材料又は表面と接触すると湿潤する材料又は表面を示すものである。一方で、材料又は表面の湿潤の程度は、用いられる液体及び材料（又は表面）の接触角度及び表面張力によって示すことができる。
【００１７】
単数で使用される場合の「層」は、単数の要素又は複数の要素の２つの意味を有することができる。
【００１８】
層又は多層積層体を説明する場合に用いられる「液体不透過性」は、常態での使用条件の下で、水などの液体が、液体が接触する点で層又は積層体の平面にほぼ垂直な方向に層又は積層体を通して何ら感知できるほど通過しないことを意味する。
【００１９】
「液体透過性」は、液体不透過性でないあらゆる材料を意味する。
【００２０】
「メルトブローン」は、複数の微細な、通常は円形のダイ毛管を通して、溶融状態の熱可塑材料を、一般に加熱された集束する高速ガス（例えば空気）流中に溶融糸又はフィラメントとして押し出し、この高速ガスが溶融熱可塑材料のフィラメントを細くしてその直径を減少させることにより形成された繊維を意味する。その後、メルトブローン繊維は、高速ガス流により運ばれて集積表面に堆積され、ランダムに散布されたメルトブローン繊維のウエブを形成する。このような方法は、例えば、Ｂｕｔｉｎらに付与された米国特許第３，８４９，２４１号に開示されている。メルトブロー法は、マクロ繊維（平均直径が約４０から約１００ミクロン）、テキスタイル状繊維（平均直径が約１０と４０ミクロンとの間）、及びミクロ繊維（平均直径が約１０ミクロン未満）を含む種々の直径の繊維を形成するために用いることができる。メルトブロー法は、長微細ミクロ繊維（平均直径が約３ミクロン以下）を含むミクロ繊維を形成するのに特に適する。超微細ミクロ繊維を形成する例示的な工程の説明は、例えば、Ｔｉｍｍｏｎｓらに付与された米国特許第５，２１３，８８１号に見ることができる。メルトブローン繊維は、連続又は非連続とすることができ、一般に、集積表面に付着される時に自己接着する。
【００２１】
単数で使用される場合の「部材」は、単一の要素又は複数の要素の２つの意味を有することができる。
【００２２】
「不織」及び「不織ウエブ」は、布織り又は編み工程の介助なしに形成される材料及び材料のウエブを意味する。例えば、不織材料、布又はウエブは、例えばメルトブロー法、スパンボンド法、空気堆積法、及びボンデッドカーデッドウエブ法などの多くの方法で形成されてきた。
【００２３】
層又は多層積層体を説明する場合に用いられる「水不透過性」は、水又は水蒸気が、通常の使用条件の下で、液体が接触する点で層又は積層体の平面にほぼ垂直な方向に層又は積層体を通って何ら感知できるほど通過しないことを意味する。
【００２４】
「水透過性」は、水不透過性でないあらゆる材料を意味する。
【００２５】
これらの用語は、本明細書の残りの部分で、付加的な言語で定義することがある。
【００２６】
（説明）
皮膚又は組織に関する種々の問題は、ヒト又は動物の健康及び／又は衛生を減じることがある。例えば、手、足、四肢、関節、又は身体の他の部分の皮膚の乾燥は、特に、皮膚が寒冷状態及び／又は乾燥状態に暴露されるときには、よく見られる問題である。これは、高齢者には特に当てはまる可能性がある。この問題に対処するために、皮膚を加湿するようにデザインされた種々の配合物が用いられることが多い。配合物によっては、予期される利益をもたらすには相当な時間が必要である。多くの現在入手可能な配合物では、得られるあらゆる皮膚の利益は、配合物が塗布された後比較的短期間持続することができる。本発明は、配合物又は組成物を組織又は皮膚に送達するための用品の特徴を示す。
【００２７】
このような組成物の例の１つは、皮膚を加湿するためのスキンケア配合物である。このような配合物は、典型的には、２つの機構の少なくとも１つで働く。即ち、閉塞又は湿潤である。閉塞に基づくスキンケア配合物は、皮膚表面上及び／又はその内部に相対的水蒸気不透過性フィルムを形成する。この閉塞性フィルムにより、皮膚が経皮水分損失の自然過程を経ると、フィルムの下に水が貯まることになる。閉塞的方法の利点の１つには、長時間、皮膚加湿利益をもたらす能力が含まれる。閉塞性原料は、典型的には、疎水性の性質であり、一般に容易には洗い流されず、これが、皮膚を長期間加湿する能力に寄与する。閉塞特性を有する原料（例えばワセリン（ｐｅｔｅｒｏｌａｔｕｍ）、ろう、植物油、鉱物油、等）を備える配合物は、人によっては、美的及び／又は感覚的に望ましくない属性を有すると感じられる。また、閉塞性配合物は、加湿利益を送達するのに経皮水分損失によるため、水貯留が比較的ゆっくりとした過程に依存することにより、迅速に加湿する能力にも欠ける。
【００２８】
湿潤剤配合物は、環境から水蒸気（水分）を引き付けてそれを皮膚表面に導く能力を有し、これによって、皮膚水和が増大し、乾燥が緩和されることになる。水分を引き付けるこの過程は、「吸湿性」と呼ばれることが多い。湿潤剤配合物は、短期間、加湿化利益及び乾燥緩和を送達する利点を有する。湿潤剤配合物は、典型的には、親水性（上に記載したように、「水を好む」）の性質であり、一般に、相当な量の水を含む。このような配合物は、一般に、（閉塞性により機能するスキンケア組成物より）皮膚に軽くて心地よい感触（即ち、重量及び／又は粘性が軽い）を有するものとして認識され、典型的には、使用者に審美的に好まれる。湿潤剤原料の例には、グリセリン、尿素、乳酸ナトリウム、多糖類、及び同様のものが含まれる。閉塞性配合物と異なり、湿潤剤配合物は、一般に、長期間加湿する能力はない。
【００２９】
本発明の好ましい側面の１つでは、湿潤剤を含む水性配合物は、手袋、靴下、又は袖のような用品の内側表面に塗布される。用品は、フィルムのような水不透過性層を含み、これによって、水が用品から外部環境に透過するのを防止、減少、又は最小にする。水不透過性層は、２つの繊維層（例えば不織材料）の間に挟まれる。特定の理論に縛られることはないが、本発明者らは、このような配合物を含む用品は、それぞれの不利な点がなく、湿潤及び閉塞の両方の利益を実現すると考える。用品の内部上の湿潤剤配合物は、用品の使用者に審美的に心地よい感触を与え、皮膚を初期に素早く加湿するという利益を与える。製品の水不透過性フィルムの閉塞性は、長期加湿作用に寄与する。更に、繊維層が用品に布様感触及び外観を与える。また、内側繊維層（使用者の皮膚又は組織に接触する）が波状であることにより、内側繊維層に塗布される配合物又は組成物を包含するのに役立つ。他所で論じるように、このような波形状（しわ）は、水不透過性層を伸張した状態で繊維層を水不透過性層に付着させることにより、不連続な点又は場所で全体的又は部分的に作用することができる。得られる積層体を収縮させると、繊維層にはギャザーが寄って繊維層の波形状が促進されて生成される。
【００３０】
本発明の用品を構成するための例示的な基層
本発明の用品を作るのに用いられる基層は、一般に３層を有することになる。即ち、フィルムのような水不透過性層が不織材料のような２つの繊維層の間に挟まれる。このような基層１０の例を図１に示しており、これは、外側繊維層１２及び内側繊維層１６に取り付けられた水不透過性層１４を例示的に示している。外側繊維層１２のための材料は、（例えば、ネオプレンゴム手袋の滑らか又はゴム様の外観と反対に）布様外観を与える材料の何れかとすることができる。内側繊維層１６のための材料は、不織材料のような繊維の性質のあらゆる材料を含むことができる。内側繊維層は、不均質な波状表面を有し、内側繊維層１６の表面に塗布される配合物又は組成物を包含するのを助ける必要がある。上に示したように、この内側材料のしわは、水不透過性層１４を伸張した状態で、内側繊維層１６を不連続な点又は場所で水不透過性層１４に取り付けることにより（例えば、以下に詳細に論じるように材料を互いに熱的に点結合することにより）達成し、又は促進することができる。水不透過性層１４（及び、従って、得られる積層体）を緩めると、内側繊維層１６は、ギャザーが寄って内側繊維層に波形状が生じる。当然、内側繊維層１６及び外側繊維層１２の両方は、水不透過性層１４を伸張した状態で、区分された点又は場所で水不透過性層１４に取り付けられる（その後弛緩させる）場合には、このようにギャザー寄せがなされる。
【００３１】
内側及び外側繊維層は、同じとすることも異なるものとすることもできる。一般に、水不透過性層１４は、エラストマーであり、得られる基層１０は、用品が用いられる手、足、四肢、又は他の身体領域に伸張した状態で一致することができる。
【００３２】
不織材料を用いて内側及び外側繊維層を作る場合には、繊維又はフィラメントを作る時に市販の熱可塑ポリマー材料を用いて、外側繊維層１２及び内側繊維層１６を形成することができるので有利である。本明細書で用いる場合、「ポリマー」という用語は、限定するものではないが、ホモポリマーと、例えば、ブロック、グラフト、ランダム及び交互コポリマーのようなコポリマーと、ターポリマー等、及びその混合物及び修正物を含むものとする。更に、特に限定しなければ、「ポリマー」という用語は、限定するものではないが、アイソタクチック、シンジオタクチック、ランダム及びアタクチック対称が含まれる材料の全ての可能な幾何学的配置を含むものとする。本明細書で用いる場合、「熱可塑ポリマー」又は「熱可塑ポリマー材料」という用語は、熱に暴露されると軟化し、周囲温度まで冷却すると固体状態に戻る長鎖ポリマーを意味する。例示的な熱可塑性材料には、限定するものではないが、ポリ塩化ビニル、ポリエステル、ポリアミド、ポリフルオロカーボン、ポリオレフィン、ポリウレタン、ポリスチレン、ポリビニルアルコール、カプロラクタム、及びこれらのコポリマーが含まれる。
【００３３】
本発明の不織層１２及び１６として用いることができる不織ウエブは、スパンボンド法、空気堆積法、メルトブロー法、又はボンデッドカーデッドウエブ形成法を含む種々の公知の形成法で形成することができる。スパンボンド不織ウエブは、メルトスパンフィラメントで作られる。本明細書で用いる場合、「メルトスパンフィラメント」という用語は、溶融熱可塑材料をフィラメントとして紡糸口金の複数の微細な通常円形の毛管から押し出し、次に、押し出したフィラメントの直径を例えば非抽出的又は抽出的流体延伸又は他の公知のスパンボンド機構により急速に減少させることにより形成された小さな直径の繊維及び／又はフィラメントを意味する。最後に、メルトスパンフィラメントは、移動する運搬ベルト又は同様のものに実質的にランダムに堆積され、実質的に連続でランダムに配列されたメルトスパンフィラメントのウエブを形成する。スパンボンドフィラメントは、一般に、集積表面に堆積するときにべとつかない。スパンボンド不織ウエブの生成は、Ａｐｐｅｌらに付与された米国特許第４，３４０，５６３号、Ｄｏｒｓｃｈｎｅｒらに付与された米国特許第３，６９２，６１８号、Ｍａｔｓｕｋｉらに付与された米国特許第３，８０２，８１７号、Ｋｉｎｎｅｙに付与された米国特許第３，３３８，９９２号及び第３，３４１，３９４号、Ｐｅｔｅｒｓｏｎに付与された米国特許第３，５０２，５３８号、及びＤｏｂｏらに付与された米国特許第３，５４２，６１５号に記載されており、その全ては、参照により本明細書に組み入れられる。スパンボンド法により形成されたメルトスパンフィラメントは、一般に連続で、少なくとも５回の測定に基づく平均直径が７ミクロンより大きく、更に詳細には、約１０と１００ミクロンとの間である。繊維又はフィラメントの直径を表す他の頻繁に用いられる表現は、デニールであり、これは、グラム数／９０００メートルの繊維又はフィラメントであると定義されている。
【００３４】
スパンボンドウエブは、一般に、更に処理して完成製品にする過酷な作業に耐えるようにウエブに十分な一体性及び強度を与えるために、生成されると直ぐに何らかの方式で安定化又は連結（予備接着）される。この予備接着段階は、加熱活性化することができる液体又は粉末としてフィラメントに塗布された接着剤を用いることによるか、更に一般的には、締固めロールにより達成することができる。本明細書で用いる場合、「締固めロール」という用語は、生成されたばかりのメルトスパンフィラメント、特にスパンボンドのウエブを処理する方法の１つとして、通気接着、熱接着、超音波接着及び同様のもののような後に用いる二次的接着工程の比較的強力な接着ではなく、更に処理するために十分な一体性をウエブに付与するために、ウエブを締固めするのに用いられる不織ウエブの上及び下の１組のローラを意味する。締固めロールは、自己接着によりその一体性を増大させるためにウエブを僅かに締め付ける。
【００３５】
例示的な二次的接着工程は、スパンボンドウエブを熱的に接着するためにパターン付きローラ配列を用いる。ローラ配列は、典型的には、パターン付き接着ロール及び滑らかなアンビルロールを含み、これらは合わせて熱パターン接着ニップを定める。或いは、アンビルロールは、その外側表面に接着パターンを有することもできる。パターンロールは、従来の加熱手段により適切な接着温度まで加熱されて従来の駆動手段により回転され、スパンボンドウエブがニップを通って通過すると、一連の熱パターン接着が形成される。ニップ内のニップ圧力は、ライン速度、接着温度及びウエブを形成する材料を考えるとウエブに望ましい程度の接着を達成するのに十分とする必要がある。このようなスパンボンドウエブでは、約１０パーセント〜約２０パーセントの範囲内のパーセント接着面積が典型的である。
【００３６】
水不透過性層１４は、上部及び底部層１２及び１６にそれぞれ適切に接着又は取り付けて、本明細書に記載した性能特性及び特徴を有する基層１０を生成することができるフィルムの何れによっても形成することができる。適切な階級のフィルム材料には、熱可塑性のエラストマーポリオレフィンポリマーが含まれる。これら（及び他）の構成要素は、フィルム加工技術業者に公知の種々のフィルム生成工程の何らかの１つを用い、互いに混合して加熱し、その後、押し出して単層又は多層フィルムにすることができる。このようなフィルム製造工程には、例えば、キャストエンボス、チルアンドフラットキャスト、及びブローンフィルム法が含まれる。典型的には、水不透過性層１４は、不連続な点で３つの層を互いに熱的に接着することにより、外側繊維層１２及び内側繊維層１６に取り付けられることになる（例えば、先の段落での考察のほか、Ｍａｔｈｉｓらに付与された「布用で液体不透過性で通気可能な複合体障壁布」と題される米国特許第６，０３７，２８１号を参照されたい）。上に記載したように、２つの繊維層は、水不透過性層を伸張した状態にしつつ、不連続な場所で水不透過性層に接着するか取り付けることにより、得られる積層体は、弛緩した状態では波形状を生成することができる。得られる基層１０が本明細書に記載する必要な特性を有する限り、水不透過性層１４を繊維層１２、１６に接着して積層するための他の公知の手段を用いることもできる。例えば、３つの層は、互いに接着剤接合することができる。
【００３７】
他の添加剤及び原料は、フィルム層が本発明の教示事項に従って機能する能力を有意に損なわなければ、フィルム層１４に加えることができる。このような添加剤及び原料には、例えば、酸化防止剤、安定剤、及び顔料を含むことができる。ポリオレフィンポリマーに加えて、フィルム層１４は、充填剤を含むこともできる。本明細書で用いる場合、「充填剤」は、フィルムポリマー押し出し混合物に加えることができ、しかも、押し出したフィルムを化学的に損なわずに、フィルム中に均質に分散することができる材料の微粒子及び他の形を含むことを意味する。一般に、充填剤は、微粒子の形とされることになり、平均粒子の大きさが約０．１〜約７ミクロンの範囲の球形又は非球形とすることができる。フィルム形成工程もフィルム層が本発明の教示事項に従って機能する能力も損なわなければ、有機及び無機充填剤の両方とも本発明の範囲に含まれることを意図する。適切な充填剤の例には、炭酸カルシウム（ＣａＣＯ3）、種々の種類のクレイ、シリカ（ＳＩＯ2）、アルミナ、炭酸バリウム、炭酸ナトリウム、炭酸マグネシウム、タルク、硫酸バリウム、硫酸マグネシウム、硫酸アルミニウム、二酸化チタン（ＴｉＯ2）、ゼオライト、セルロース系粉末、カオリン、マイカ、炭素、酸化カルシウム、酸化マグネシウム、水酸化アルミニウム、パルプ粉末、木粉、セルロース誘導体、キチン及びキチン誘導体が含まれる。また、例えばステアリン酸のような適切なコーティングを充填剤粒子に用いることもできる。
【００３８】
本明細書に述べるように、フィルム層１４は、フィルム形成業者に公知の従来の工程の１つを用いて形成することができる。ポリオレフィンポリマー及び任意的な原料の何れか（例えば充填剤）を混合し、その後加熱して押し出し、フィルムにする。
【００３９】
以下に記載する本発明の例に用いられるフィルム層は、単層フィルムであるが、形成技術がここに記載するフィルムと両立することができれば、多層フィルムのような他の種類も本発明の範囲に含まれると考えられる。
【００４０】
先の段落では、本発明の用品に用いることができる基層の例のいくつかを記載している。付加的な例は、例えば、Ｍａｔｈｉｓらに付与された「布様の液体不透過性で通気可能な複合体障壁布」と題される米国特許第６，０３７，２８１号、１９８７年５月５日にＷｉｓｎｅｓｋｉらに付与された米国特許第４，６６３，２２０号、１９９３年７月１３日にＭｏｒｍａｎに付与された米国特許第５，２２６，９９２号、１９８７年４月８日にＴａｙｌｏｒらの名前で発行された欧州特許出願番号第ＥＰ０２１７０３２号、及びＷｅｌｃｈらの名前のＰＣＴ出願第ＷＯ０１／８８２４５号を参照されたい。尚、これらの全ては本明細書と矛盾しないように参照により本明細書に組み入れられる。外側繊維層が布様外観及び感触を示し、内側繊維層が用品の内部に付加された配合物又は組成物を包含するのを助けるのに十分しわが多く（配合物又は組成物が用品から漏れるのを最小限にするため）、水不透過性層（例えばフィルム）が、用品を通って水が蒸発又は移行するのを最小限にすることができる限りどのような３層基層も用いることができる。
【００４１】
例示的な用品の構成
上に記載したもののような１つ又はそれ以上の基層は、手袋、ミトン、靴下、袖、パッチ、又は身体の部分に適合するようにデザインされた他の物品の形に構成することができる。一般に、用品は、基層を適切な部片に切断し、その部片が、互いに取り付けられると、その内部に身体の一部を挿入することができる内部容積を有する用品を形成するようにすることにより作られることになる。
【００４２】
図２は、例示的に、部片（又は基層）がヒトの手の形状に周囲を定めるように切断された基層２０を示す。図２Ａは、例示的に、２つの基層の周囲に近接する位置で第２の部片（又は基層）３４に取り付けられた第１の部片（又は基層）３２を含む用品３０を示す。この例示的な図では、２つの基層は、２つの基層の周囲に近接する部位で部片を縫い合わせることにより互いに機械的に取り付けられる。得られる用品は、次に、基層を縫い合わせることにより形成された継ぎ目３６が用品の内部になるようにひっくり返した。当然、完成用品は、ひっくり返す必要は無く、継ぎ目は用品の内部にあるままとすることができる。個々の部片は、継ぎ目を生成するように接合する必要がないことにも留意されたい。個々の部片の縁は、互いに突合せ、その後、例えば、溶媒を用いて接合及び／又は溶接することができる。或いは、個々の部片を互いに突合せ、その後、接着剤又は接着剤テープのような別の材料を用いて部片を互いに接合することができる。
【００４３】
個々の部片（又は基層）は、種々の形状及び大きさに切断することができる。図２及び図２Ａに示す手袋以外に、部片は、得られる用品が、管、袖、ミトン、靴下、又は同様のものの形状になるように切断することができる。得られる用品が、使用者が身体の一部（例えば、指、足指、手、足、手首、前腕等）を挿入することができる内部容積を定め、用品の内部表面に塗布された組成物が用品の内部表面に接触すると皮膚又は組織に移行することができるようにする限り、あらゆる形状が可能である。
【００４４】
個々の基層又は部片は、縫い合わせる必要はない。また、個々の部片又は基層は、超音波で、熱で、接着剤で、粘着的に、テープを用いて、材料を互いに溶融することにより（例えば適切な溶媒を用いることによる）、材料を互いに溶着することにより、又は同様の方法により接合することもできる。個々の部片又は基層が用品の通常の使用の間に取り付けられるか結合されたままであり、取り付け又は結合が、用品の内部表面の組成物又は配合物が用品に包含される（即ち配合物又は組成物の漏れが最小であるか皆無である）ようなものである限り、あらゆる結合又は取り付けを用いることができる。
【００４５】
或いは、基層は、長方形、卵形又は他の形状の形で用意することができる。次に、形状の周囲の全部又は一部に、皮膚に接着することができる接着剤を次に塗布し、用品が取り外し可能に皮膚に接着することができるようにすることができる。次に、皮膚又は組織に接触することになる用品の表面に、皮膚に移行されることになっている組成物をコーティングし又は付着させることができる。
【００４６】
用品は、単一部片の基層で形成することができることにも留意されたい。図３は、（矢印４２で示すように、即ち、形状の下半分を形状の上半分の上に折り上げるように）基層を折り返すことにより足形状の用品を形成することができるように切断された基層４０を例示的に示す。図３Ａは、このような足形状の用品５０、及び基層４０（図３）が折り返されてそれに取り付けられたときに形成され、得られる継ぎ目５２を例示的に示す。この例示的な実施形態では、足形状用品は、基層をそれ自身に取り付けた後、継ぎ目が用品の内側になるように裏返しにした。互いに接合して本発明の用品を形成することができる２つ（又はそれ以上）の部片のように、単一部片は、上に論じた方法の何れかを用いてそれ自身に接合することができる。
【００４７】
本発明の用品とともに用いるための例示的な配合物又は組成物
本発明の用品とともに用いることができる配合物又は組成物には、乳化剤、界面活性剤、粘性調節剤、天然加湿因子、抗菌剤、ｐＨ調節剤、酵素阻害剤／不活化剤、懸濁剤、顔料、染料、色素、緩衝剤、香料、抗細菌剤、抗真菌剤、医薬品、フィルム形成剤、消臭剤、不透明化剤、収斂剤、溶媒、有機酸、保存剤、薬物、ビタミン、アロエベラ、及び同様のものが含まれる。
【００４８】
本発明の変型のいくつかでは、配合物又は組成物の臨床的に有用な添加剤は、細胞レベルで上皮組織と直接相互作用し、皮膚に利益を与えることができるか、或いは、皮膚に利益を与えるために皮膚表面又はその近くの構成要素と相互作用することができるかの何れかとすることができる。
【００４９】
実施形態の１つでは、臨床的に有利な添加剤は、乾燥した皮膚を正常に近い水分バランスまで回復するのに役立つ薬剤であるとここで定義される皮膚軟化剤とすることができる。皮膚軟化剤は、皮膚と混合する脂肪及び油を供給し、皮膚を柔軟にし、角質層のひび割れ及び亀裂のいくつかを修復し、皮膚に水を捕捉する保護フィルムを形成することにより皮膚に作用する。本発明とともに用いるのに適切とすることができる皮膚軟化剤には、蜜蝋、ステアリン酸ブチル、セラミド（ｃｅｒｍｉｄｅｓ）、パルミンチン酸セチル、ユーセリット（ｅｕｃｅｒｉｔ）、イソヘキサデカン、パルミチン酸イソプロピル、ミリスチン酸イソプロピル、ミンク油、鉱物油、堅果油、オレイルアルコール、石油ゼリー又はワセリン、ステアリン酸グリセラル、アボカド油、ホホバ油、ラノリン（又は羊毛蝋）、ラノリンアルコールのようなラノリン誘導体、パルミチン酸レチニル（ビタミンＡ誘導体）、セテアリルアルコール、スクアラン、スクアレン、ステアリン酸、ステアリルアルコール、ミリスチン酸ミリスチル、特定のヒドロゲル皮膚軟化剤、種々の脂質、オレイン酸デシル及びヒマシ油が含まれる。
【００５０】
好ましい臨床的に有利な添加剤は、湿潤剤であり、これは、本明細書では、空気から水分を引き付けて皮膚に保持することにより皮膚に水を供給する薬剤であると定義される。本発明と用いるのに適切とすることができる湿潤剤には、アラニン、グリセリン、ＰＥＧ、プロピレングリコール、ブチレングリコール、グリセリン（グリコール）、ヒアルロン酸、天然加湿因子（皮膚の天然湿潤剤中のアミノ酸及び塩の混合物）、異性化糖、乳酸ナトリウム、ソルビトール、尿素、及びＰＣＡナトリウムが含まれる。
【００５１】
本発明に用いるのに適切であると考えられる他の臨床的に有用な薬剤には、酸化防止剤、身体又は他の物質が酸化されないように保護する特殊な群の物質が含まれる。酸化防止剤は、酸化過程を防止又は遅延し、それによって、皮膚が時期尚早に老化しないように保護する。本発明に用いるための例示的な酸化防止剤には、アスコルビン酸エステル、ビタミンＣ（アスコルビン酸）、ビタミンＥ（レシチン）、αグリコシルルチン（ＡＧＲ、又はαフラボン、植物由来の抗酸化剤）、及び補酵素Ｑ１０（ユビキノンとしても知られる）が含まれる。
【００５２】
使用中に皮膚に送達することができる他の臨床的に有用な薬剤には、ＥＤＴＡのようなキレート剤；カオリン、ヘクトライト、スメクタイト、又はベントナイトのような吸収剤／中和剤；パンテノール、パルミチン酸レチニル、トコフェロール、及び酢酸トコフェロールのような他のビタミン及びビタミン供給源及び誘導体；及びキチン及びキトサンのような抗刺激剤が含まれる。
【００５３】
有用な薬剤のさらに別の例には、皮膚コンディショナが含まれ、これは、本明細書では、皮膚が水分を維持し、柔軟性を改善し、肌理を改善するのを助けることができる薬剤であると定義される。皮膚コンディショナには、例えば、アラニン、セリン、及びグリシンを含むアミノ酸；アラントイン、ケラチン、及びジオレイン酸メチルグルコース；皮膚表面から古い皮膚細胞を剥がすように作用する乳酸及びグリコール酸を含むαヒドロキシ酸；エキナセア（コーンフラワープラントの抽出物）、シアバター、及びシクロメチコン、ジメチコーン並びにシメチコーンを含む特定のシリコーンを含む加湿剤（乾燥した皮膚に水を加えるかそれを保持する薬剤）が含まれる。
【００５４】
本発明に用いるのに適切とすることができる有利な植物薬剤、抽出物、又は他の材料の他の例には、アーモンド、ビサボロール（皮膚の刺激、腫れ、痒みを緩和すると考えられている）のようなカモミール抽出物、エルダーフラワー、ハチミツ、ベニバナ油、及びエラスチン（ベニバナ油及びエラスチンは皮膚弾力を維持するのを助けると考えられている）が含まれる。
【００５５】
この配合物又は組成物には、１つ又はそれ以上の臨床的に有用な添加剤に加えて、他の添加剤を含むこともできる。例えば、シリコーンポリマーを含んでエラストマー物品の滑り特性を改善することができる。可能性のあるシリコーンポリマーには、反応性シリコーン、非反応性シリコーン、又は反応性及び非反応性シリコーンの混合物が含まれる。適切なシリコーンには、例えば、アミノシリコーン、ポリエーテル変性アミノシリコーン、末端ヒドロキシ基を有するアミノ置換シロキサン、エポキシシリコーン、四級シリコーン、ジメチコーン、シリコーンポリエーテル、ポリエーテルエポキシシリコーン、シラノール液、ポリシロキシリノリルピロリドンホスホリピド、及び可能性のあるシリコーンの組み合わせを含むことができる。
【００５６】
他の添加剤、例えば、グルコース誘導ポリマー、又はグルコース誘導ポリマー（例えばＣｏｓｐｈａから商標Ｐｌａｎｔｅｒａｎ  ＰＳ４００で入手可能なラウリルグルコシド）、シリカ、シリカ分散体、湿潤剤、及び保存剤（即ちメチルパラベン及びプロピルパラベンのようなパラベン）を含む混合物を含むことができる。実施形態の１つでは、パーソナルケア組成物には、乳剤安定剤を含むことができる。例示的な乳剤安定剤には、ステアリン酸アルミニウム、硫酸マグネシウム、ケイ酸、及びオゾケライトが含まれる。
【００５７】
別の実施形態では、有利な薬剤は、リポソーム内の配合物又は組成物に保持することができる。リポソームは、薬剤を皮膚に送達するための媒介物である。更に詳細には、リポソームは、加湿剤又は皮膚軟化剤のような水性薬剤を囲む脂肪化合物、脂質で形成される微視的な球である。リポソームが皮膚にすり込まれると、角質層中に薬剤を放出する。
【００５８】
別の実施形態では、有用な薬剤は、マイクロカプセル剤の形で担体内に存在することができる。マイクロカプセル剤は、皮膚軟化剤がコーティング組成物内の他の原料と反応しないようにし、圧力が加わって膜が壊れると皮膚軟化剤を更に均質に分配するのを助けるゼラチン膜で囲まれた皮膚軟化剤の球である。これらのビーズを形成する工程は、マイクロカプセル化と呼ばれ、一般に、当技術分野で公知である。
【００５９】
本発明の配合物又は組成物は、水溶液、分散液、又は乳剤として用品に塗布することができる。実施形態の１つでは、重量で約４．５％〜約６％の湿潤剤を含む水性組成物を形成することができる。他の実施形態では、湿潤剤は、重量で３０％又はそれ以上で存在することができる。いくつかの他の実施形態では、湿潤剤は、重量で約１０〜約２０％で存在することができる。更に別の実施形態では、湿潤剤は、重量で約５〜約４０％で存在する。この組成物は、次に、本発明の用品の内部表面に塗布することができる。
【００６０】
実施形態の１つでは、パーソナルケア組成物は、乳剤として塗布することができる。実施形態の１つでは、配合物又は組成物は、マイクロエマルジョンとして用品の表面に塗布することができる。マイクロエマルジョンは、スプレーの形で塗布することができる特に微細な粒子の乳剤である。マイクロエマルジョンの粒子の大きさは、一般に、約１ミクロン未満であるが、従来の乳剤では、約５０ミクロンより大きい粒子の大きさを示す。
【００６１】
配合物又は組成物の成分は、用品の表面に組み合わせて又は別個に塗布することができる。例えば、２回（又はそれ以上）別個に塗布することにより用品のコーティングを形成するように、１００％湿潤剤組成物を塗布し、その後、別の１００％の有用な添加剤組成物を塗布することができる。このように、添加剤の層は、用品の表面に層成することができる。
【００６２】
コーティングは、あらゆる適切な方法で用品の内部表面に付着させることができる。例えば、用品は、コーティングに浸すことができる。別の実施形態では、用品は、コーティング内で混転することができる。種々の実施形態では、コーティングは、浸し塗り、浸漬、スプレー、パッティング、印刷、又は当技術分野で公知のあらゆる他の塗布方法により用品の表面に塗布することができる。
【００６３】
実施形態の１つでは、コーティングは、用品の皮膚接触表面にスプレーすることができる。例えば、コーティング溶液を手袋にスプレーしつつ用品を混転装置に入れることができる。実施形態の１つでは、スプレー工程は、繰り返すことができる。例えば、スプレー工程は、手袋の内側表面をコーティングするために約２０回まで繰り返すことができる。実施形態の１つでは、スプレー工程は、合計で約１０と約２０回との間で行うことができる。
【００６４】
本発明の用品の例示的な販売及び／又は包装
本発明の用品の製造業者は、前記用品の購入者、消費者、又は使用者に発信するためのメッセージ、声明、又は広告文を作り上げることができる。このようなメッセージ、声明、又は広告文は、用品の使用者の心に、本発明の用品又はそれを使用することと１つ又はそれ以上の精神状態、心理状態、又は健康な状態との間の関連性を容易にするか確立するのに役立つように作り上げることができる。通信、声明、又は広告文は、リラックス、平和、エネルギー、活力を与える、性、官能性、官能的、精神、精神的、清浄、新鮮、山、地方、風味、海、空、健康、衛生、水、滝、水分、加湿、又はその派生語又は組み合わせを含む種々の文字数字の列を含むことができる。これらの文字数字列は、単独、他の文字数字列に隣接して、又はそれと組み合わせての何れかで用いることができる。通信、声明、メッセージ、又は広告文は、新聞広告、テレビ広告、ラジオ又は他の音声広告、住所に直接送られる品目、住所に電子メールで送られる品目、インターネットウエブページ又は他のこのような投稿、差込み広告、クーポン、種々の販売促進（例えば、貿易販売促進）、他の会社との共同販売促進、広告文及び同様のもの、製品（この場合には本発明の用品）を包含する箱及び包装、及び消費者又は潜在的消費者へ情報を宣伝する他のこのような形の形をとる（即ち、このような媒体で実際に示す）ことができる。このような通信、声明、メッセージ、及び／又は広告文の他の例示的な変型は、例えば、両方とも「トイレトレーニング材料及びそれを用いて表示キオスクを表示するための方法」と題される米国特許第６，６１２，８４６号及び第６，８９６，５２１号；「接触に応答するトイレトレーニングに関する予め記録したメッセージを発音する方法」と題される同時係属米国特許出願番号第１０／８３１４７６号；「各性に特注した液体処理特性を有する性限定的な吸収性物品を製造する方法及び市場に出す方法」と題される同時係属米国特許出願番号第１０／９５６７６３号に見ることができ、その各々は、本明細書に矛盾しないようにそのまま参照により組み入れられる。
【００６５】
（例えば、包装に文、画像、記号、図形、（各）色、又は同様のものを印刷することにより；又は包装に印刷した使用説明を配置することにより；又はこのような使用説明、クーポン、又は他の材料を包装に付着するか取り付けることにより；又は同様のことにより）声明、広告文、メッセージ、又は他の通信を本発明の用品を包含する包装に関連させる場合には、前記包装を構成する材料は、少なくとも包装の一部を通して水又は水蒸気の流れを減少、妨害、又は排除するように選択することができることに留意する必要がある。上に記したように、本発明の用品に対する好ましい組成物は、水及び湿潤剤を含む。従って、それに包含される用品から水又は水蒸気が蒸発又は透過するのを減少、最小化、又は排除する包装、容器、包み、バッグ、及び同様のものが有利である。更に、用品は、それに包含される用品から水又は水蒸気が流れるか透過するのを阻害、減少、又は排除する容器、小包、包み、バッグ、又は同様のもに個々に包むことができる。本明細書においては、「包装」、「容器」、「包み」、「バッグ」、「小包」及び同様のものは、個々の用品（例えば、単一の用品を包含する個々の小包に入れる）、又は複数の用品（個々の用品の各々が個々の小包のような別個の材料に封入されて保持されるかどうかに関わらず複数の用品を包含するフィルムで作られる可撓性のあるバッグに入れる）の何れかを封入して保持するようにされたあらゆる材料を意味するという意味で交換可能である。
【００６６】
当業者は、添付の請求項に更に詳細に述べる本発明の精神及び範囲から逸脱することなく、本発明に対するこれら及び他の変更形態及び変形形態を実施することができる。更に、当業者には、前述の記載は、例を示すのみであり、そのような添付の請求項に更に記載されている本発明を制限することを意図しないことは理解されると考える。
【実施例】
【００６７】
実施例１：パーソナルケア組成物の例示的な例
以下に同定された原料／成分を有する例示的なパーソナルケア組成物を調製した。
2009508011.tif 000003
【００６８】
ここに述べた割合の水、グリセリン、Ｅｍｕｌｇａｄｅ  ＣＭ、Ｍａｃｋｅｒｎｉｕｍ−００７、及びＰａｒａｇｏｎ  ＩＩＩを共にＬｉｇｈｔｎｉｎ  ＬａｂｍａｓｔｅｒミキサＬＩＵ  １０Ｆ（ニューヨーク州ロチェスターマウントリードブルバード１３５）で混合した。ツイーン４０及び芳香剤は、スパチュラを用いて小さな容器で別に混合した。芳香剤／ツイーン４０混合物は、次に、上に同定した水、グリセリン、及び他の原料を含む混合物に混合した。次に、得られる組み合わせをＵｌｔｒａ−Ｔｕｒｒａｘ  Ｔ５０  Ｂａｓｉｃ高せん断ホモジナイザ（ＩＫＡ（登録商標）Ｗｏｒｋｓ、ノースカロライナ州ウィルミントンノースチェイスパークウェイＳＥ  ２６３５、２８４０５）に入れて、Ｈｉｓｐａｇｅｌ  ２００及びＳｅｐｉｇｅｌ  ５０１を順に加えた。最後に、配合物のｐＨは、ＳｅｖｅｎＭｕｌｔｉ  ｐＨメーター（Ｍｅｔｔｌｅｒ−Ｔｏｌｅｄｏ、オハイオ州コロンブスポラリスパークウェイ１９００、４３２４０）を用いて測定してｐＨが６．０になるまでクエン酸ナトリウムを加えることにより調節した。
【００６９】
実施例２：パーソナルケア組成物の例示的な例
以下に同定された原料／成分を有する例示的なパーソナルケア組成物を調製した。
2009508011.tif 000004
【００７０】
記載した割合のキサンタンガムは、４００ｒｐｍの設定でＬｉｇｈｔｎｉｎ  ＬａｂｍａｓｔｅｒミキサＬＩＵ１０Ｆ（ニューヨーク州ロチェスターマウントリードブルバード１３５）でガムが完全に水和するまで（ほぼ１時間）材料を完全に混合することにより水に分散させた。次に、グリセリン、Ｅｍｕｌｇａｄｅ  ＣＭ、及びＰｅｎｔａｖｉｔｉｎ、続いてパンテノール及びＰａｒａｇｏｎ  ＩＩＩをキサンタンガム／水混合物に混合した。次に、この組み合わせにＳｅｐｉｇｅｌ５０１を加え、高せん断ミキサ（Ｕｌｔｒａ−Ｔｕｒｒａｘ  Ｔ５０  Ｂａｓｉｃ、ＩＫＡ（登録商標）Ｗｏｒｋｓ、ノースカロライナ州ウィルミントンノースチェイスパークウェイＳＥ  ２６３５、２８４０５）を用いてホモジナイズした。芳香剤／ツイーン４０混合物は、スパチュラを用いて小さな容器で別に混合した。次に、その組み合わせに、芳香剤／ツイーン４０混合物を混合した。最後に、配合物のｐＨは、ＳｅｖｅｎＭｕｌｔｉ  ｐＨメーター（Ｍｅｔｔｌｅｒ−Ｔｏｌｅｄｏ、オハイオ州コロンブスポラリスパークウェイ１９００、４３２４０）を用いて測定してｐＨが６．０になるまでクエン酸ナトリウムを加えることにより調節した。
【００７１】
実施例３：パーソナルケア組成物の例示的な例
以下に同定された原料／成分を有する例示的なパーソナルケア組成物を調製した。
2009508011.tif 000005
【００７２】
記載した割合のキサンタンガムは、４００ｒｐｍの設定でＬｉｇｈｔｎｉｎ  ＬａｂｍａｓｔｅｒミキサＬＩＵ１０Ｆ（ニューヨーク州ロチェスターマウントリードブルバード１３５）でガムが完全に水和するまで（ほぼ１時間）材料を完全に混合することにより水に分散させた。次に、各水生原料−グリセリン、Ｐａｒａｇｏｎ  ＩＩＩ、Ａｃｔｉｐｈｙｔｅ  ｏｆ  Ｃｈａｍｏｍｉｌｅ  ＡＱ、及びＶｅｒｓｅｎｅ  ＮＡを水相に加えた。（この完成配合物は、全ての水溶性原料が別に混合されて「水相」と呼ばれ、同じことが油溶性原料にも行われて「油相」と呼ばれる水中油（ｏ／ｗ）乳剤である。）ツイーン４０及び芳香剤は、スパチュラを用いて小さな容器で別に混合した。次に、その組み合わせに、芳香剤／ツイーン４０混合物を混合した。次に、ＶＷＲホットプレート（ペンシルベニア州ウエストチェスターゴーシェンパークウェイ１３１０、１９３８０）を用いて水相を７６°Ｃまで加熱した。次に、配合物の油相の原料をＬｉｇｈｔｎｉｎ  Ｌａｂｍａｓｔｅｒを用いて別の容器で混合し、これも、ホットプレートで７６°Ｃまで加熱した。原料は、Ｃｏｇｎｉｓ  ＩＰＰ、Ａｒｌａｃｅｌ  １６５、ワセリン、Ｌｉｐｅｘ５１２、ＢｉｏＶｅｒａ  Ｏｉｌ、ＤＣ２００流体、Ｃｏｒｐｕｒｅ  Ａｖｏｃａｄｏ、セチルアルコール、Ｅｍｅｒｅｓｔ２４００、酢酸ｄｌ−αトコフェロール、及びＢＨＴであった。次に、両方とも述べた温度の７６°Ｃで油相混合物を水相混合物に加えた。この組み合わせは、４００ｒｐｍに設定して容器で混合した。この速度でほぼ１０分間混合した後、回転速度を４７０ｒｐｍまで上げて更に５分間混合した。次に、この組み合わせは、高せん断ミキサ（Ｕｌｔｒａ−Ｔｕｒｒａｘ  Ｔ５０  Ｂａｓｉｃ、ＩＫＡ（登録商標）Ｗｏｒｋｓ、ノースカロライナ州ウィルミントンノースチェイスパークウェイＳＥ  ２６３５、２８４０５）を用いて３分間ホモジナイズした。この組み合わせは、次に、回転速度４００ｒｐｍに設定したＬｉｇｈｔｎｉｎ  ＬａｂｍａｓｔｅｒミキサＬＩＵ１０Ｆ（ニューヨーク州ロチェスターマウントリードブルバード１３５）で冷却した。最後に、配合物のｐＨは、ＳｅｖｅｎＭｕｌｔｉ  ｐＨメーター（Ｍｅｔｔｌｅｒ−Ｔｏｌｅｄｏ、オハイオ州コロンブスポラリスパークウェイ１９００、４３２４０）を用いて測定してｐＨが６．０になるまでクエン酸ナトリウムを加えることにより調節した。
【００７３】
実施例４：パーソナルケア組成物の例示的な例
以下に同定された原料及び割合を有する例示的なパーソナルケア組成物を調製した。
2009508011.tif 000006
【００７４】
記載した割合の水、グリセリン、Ｅｍｕｌｇａｄｅ  ＣＭ、Ｍａｃｋｅｍｉｕｍ−００７、Ｔｉｎｏｄｅｒｍ  Ａ、Ｔｉｎｏｄｅｒｍ  Ｅ、アロエベラ、アボカド、ホホバミール及びＰａｒａｇｏｎ  ＩＩＩは、Ｌｉｇｈｔｎｉｎ  ＬａｂｍａｓｔｅｒミキサＬＩＵ１０Ｆ（ニューヨーク州ロチェスターマウントリードブルバード１３５）で混合した。ツイーン４０及び芳香剤は、スパチュラを用いて小さな容器で別に混合した。次に、芳香剤／ツイーン４０混合物は、先の混合物に加えた。次に、Ｈｉｓｐａｇｅｌ２００及びＳｅｐｉｇｅｌ５０１は、Ｕｌｔｒａ−Ｔｕｒｒａｘ  Ｔ５０  Ｂａｓｉｃ高せん断ホモジナイザ（ＩＫＡ（登録商標）Ｗｏｒｋｓ、ノースカロライナ州ウィルミントンノースチェイスパークウェイＳＥ  ２６３５、２８４０５）の得られる組み合わせに順に加えた。最後に、配合物のｐＨは、ＳｅｖｅｎＭｕｌｔｉ  ｐＨメーター（Ｍｅｔｔｌｅｒ−Ｔｏｌｅｄｏ、オハイオ州コロンブスポラリスパークウェイ１９００、４３２４０）を用いて測定してｐＨが６．０になるまでクエン酸を加えることにより調節した。
【００７５】
実施例５：例示的な用品
例示的な用品は、次のように調製した。
最初に、Ｋｒａｔｏｎ６６３８ポリマー樹脂（Ｋｒａｔｏｎ６６３８は、重量で８０％のＫｒａｔｏｎポリマーＬＬＣのＫｒａｔｏｎ１７３０スチレン−（エチレン−プロピレン）−スチレン−（エチレン−プロピレン）テトラブロックコポリマー、重量で７％のＱｕａｎｔｕｍ  Ｃｈｅｍｉｃａｌ  Ｃｏ．のＰＥＴＲＯＴＨＡＮＥ  ＮＡ６０１ポリエチレンワックス、及び重量で１３％のＥａｓｔｍａｎ  Ｃｈｅｍｉｃａｌ  ＣｏのＲＥＧＡＬＲＥＺ１１２６粘着付与剤の混合物である）で調製されるキャストフィルムを生成することにより水不透過性層を調製した。フィルムが生成される（伸張する前に７５グラム／平方メートル坪量）と、フィルムが運ばれる方向に平行な寸法に沿って約４００％伸張した。前記フィルムの両側に、各々坪量が０．８オンス／平方ヤードのネックドポリプロピレンスパンボンド材料を取り付けた。これは、最初に、フィルムと接触することになっているスパンボンド材料の両側にホットメルト接着剤＃２８４０（Ａｔｏ−Ｆｉｎｄｌｅｙより入手可能）をアドオンレベル２グラム／平方メートルでスプレーし、温度３６５°Ｆまで加熱することにより達成した。３つ全ての材料は、スパンボンド材料が接着剤でフィルムに接着され、それによって３層積層体を生成するようにロールの間のニップに誘導した。積層体は、次に、収縮させ、それによってスパンボンド材料にギャザーを寄せた。
【００７６】
基層が調製されると、手及び足の形状の（上の図２、図２Ａ、図３、及び図３Ａに例示的に示した形状に類似する）個々の部片に切断した。次に、個々の部片を縫い合わせ、使用者が手を入れることができる手袋、又は使用者が足を入れることができる靴下の何れかを作った。
【００７７】
次に、パーソナルケア組成物を塗布した。上の例１、例２、及び例３で同定された各配合物を靴下及び手袋に付加した。配合物は、シリンジ（４グラム）を用いて（目に見える継ぎ目を備える）用品の露出表面に塗布し、スパチュラを用いて配合物を広げ、製品の全ての部分を覆うようにした。次に、製品は、継ぎ目が内側になるようにひっくり返し、気密性バッグに入れて使用時まで蒸発しないようにした。
【００７８】
実施例６：例示的用品の評価
例示的な用品を評価し、その皮膚水分に関する効果を判断した。４０人の参加者（全て年齢１８〜６０歳の女性）を２つの群に分けた。参加者全てが手袋及び靴下用品の両方を受け取った。各手袋用品は、上の例１〜例３に示す、異なる配合物の１つを含むものであるか、未処理（対照）のものであった。また、各靴下用品も上の例１〜例３に示す、異なる配合物の１つを含んでいたが、未処理の対照は含まなかった（下の表では、手袋Ａは、例１に記載する配合物を含み、手袋Ｂは、例２に記載する配合物を含み、手袋Ｃは、例３に記載する配合物を含み、靴下Ａは、例１に記載する配合物を含み、靴下Ｂは、例２に記載する配合物を含み、靴下Ｃは、例３に記載する配合物を含む）。各手に対し、中手指節関節のほぼ３ｃｍ下に１つの部位（２ｘ２ｃｍ）を画定した。各足に対しては、足裏近くの足背（足の土踏まず）のほぼ２ｃｍ下の踵の内側に１つの部位（２ｘ２ｃｍ）を画定した。チーム１は、靴下製品を１晩履いた後にフットバフ（ｆｏｏｔ  ｂｕｆｆ）を受け取った。フットバフは、７グラムの清浄配合物を包含していた。シリンジを用いてフットバフに配合物を均質に塗布した。水を用いて清浄配合物を活性化し、訓練された技術者が１分間バフみがきを行った。足は、バフみがき過程の前後に水で１５秒すすいだ。チーム２は、基準線を評価した後、試験開始時にフットバフを受け取った。測定は、８つの異なる時点で行った（下表参照：１５分着用後、２時間着用後、用品除去後２時間、用品除去後４時間、１０時間（１晩）着用後、２日目着用後２時間、及び２日目着用後４時間であり、「Ｄ１」は１日目を表し、「Ｄ２」は２日目を表す）。足の被験者は、各測定の前に足の裏及び手を空気に露出して部屋の環境条件に少なくとも１５分順応する必要があった。着用中には、被験者は、適所を歩くときに通常の靴の代わりに着用するように標準スライドサンダル（「ビーチサンダル（ｆｌｉｐ−ｆｌｏｐｓ）」）が与えられた。そうでない場合には、被験者は、靴下又は他の被覆物を何ら足につけないように指示された。試験手袋の上には何も着用しなかった。２時間着用後に、手袋及び靴下の両方を除去し（着用後）、着用後（製品を除去した後）２時間及び４時間で測定を行った。１晩（１０時間）着用期間の間に用いるように新しい対の手袋及び靴下を与えた。
【００７９】
皮膚水分レベルを測定するのに皮膚の静電容量を用いた。測定は、ＮＯＶＡ  ＤＰＭ９００３（登録商標）（米国マサチューセッツ州グロスターのＮＯＶＡ  Ｔｅｃｈｎｏｌｏｇｉｅｓ）を用いて各画定部位（手及び足）で行った。器具のプローブを試験部位に置いて３回測定を行った。下の表に示す値は、無次元であり、皮膚の水分量と正関係でに相関する（即ち、値が大きいことは皮膚の水分含量が多いことを示す）。値は、被験者が手袋又は靴下を身につけて着用する前に機器で測定した基準線値からの変化に等しい。従って、正の値は、水分含量が基準線値より大きいことを意味し、負の値は、水分含量が基準線値より小さいことを意味する。各組の測定の平均は、データ記録フォームに記録し、計算時に用いた。試験は、環境を制御した室内（７０°＋３°Ｆ、４０％＋１０％相対湿度）で行った。全ての配合物は、皮膚水分レベルが統計的に有意に増大することになった。加湿化レベルの増大は。殆どの場合、製品着用から僅か１５分後には有意であった。一般に、加湿化レベルは、製品を除去した後２時間及び４時間後にも依然として基準線より有意に高かった。
【００８０】
2009508011.tif 000007
【図面の簡単な説明】
【００８１】
【図１】本発明の基層の変型の１つを例示的に示す図である。
【図２】基層の周囲が手の形状を定めるように切断された基層の変型の１つを例示的に示す図である。
【図２Ａ】本発明の用品の変型の１つを例示的に示す図である。
【図３】本発明の足用用品を形成するように切断された基層の変型の１つを例示的に示す図である。
【図３Ａ】本発明の用品の変型の１つを例示的に示す図である。
【符号の説明】
【００８２】
１０  基層
１２  外側繊維層
１４  水不透過性層
１６  内側繊維層
【図１】
2009508011.tif 000008
【図２】
2009508011.tif 000009
【図２Ａ】
2009508011.tif 000010
【図３】
2009508011.tif 000011
【図３Ａ】
2009508011.tif 000012
【国際調査報告】
2009508011.tif 000013
2009508011.tif 000014
2009508011.tif 000015
2009508011.tif 000016
2009508011.tif 000017